(57)【要約】【課題】本発明はＤＮＡチップやプロテインチップ等のバイオチップ上に殺菌剤を塗布し、殺菌作用によりチップ上の殺菌を安全に効率よく行うことができるとともに、殺菌剤を塗布することによりスポッティングや固定時に不必要なＤＮＡやタンパク質分子等の流れ出しを効率よく防止し安定した作業をすることができるバイオチップ製作方法およびバイオチップを得るにある。【解決手段】基板のＤＮＡ配列やタンパク質分子等の配置面に殺菌作用を有する殺菌材を塗布する塗布工程と、この塗布工程で処理された基板上にＤＮＡやタンパク質分子等を配置させ固定化する固定化工程とでバイオチップ製作方法およびバイオチップを構成している。【選択図】　図２
2004028733.tif 000002
【特許請求の範囲】
【請求項１】
ＤＮＡやタンパク質分子等を配置する基板に殺菌作用を有する殺菌剤を付与する付与工程と、この付与工程で処理された基板にＤＮＡ配列やタンパク質分子等を配置させ固定化する固定化工程とを含むことを特徴とするバイオチップ製作方法。
【請求項２】
前記付与工程はＤＮＡやタンパク質分子等が配置される基板部位に塗布されることを特徴とする特許請求の範囲第１項に記載のバイオチップ製作方法。
【請求項３】
前記付与工程後に、付与された殺菌剤の殺菌作用を起こさせるために該殺菌剤に反応する反応光を受光あるいは照射する照射工程を含むことを特徴とする特許請求の範囲第１項に記載のバイオチップ製作方法。
【請求項４】
前記殺菌剤は光触媒であることを特徴とする特許請求の範囲第１項に記載のバイオチップ製作方法。
【請求項５】
殺菌作用を有する殺菌剤が付与された基板と、この基板にＤＮＡやタンパク質分子等を配置させ固定化された固定化面とからなることを特徴とするバイオチップ。
【発明の詳細な説明】
【０００１】
【発明の属する技術分野】
本発明は、ＤＮＡチップやプロテインチップ等のバイオチップ製作方法およびバイオチップに関する。
【０００２】
【従来の技術】
従来、ＤＮＡチップやプロテインチップ等のバイオチップは通常無菌室にて製作されるが、作成または運搬の過程で雑菌が入り、細胞塗布後に解析したい細胞以外の雑菌が培養され、分析できないという事例が多々ある。
【０００３】
【発明が解決しようとする課題】
従来のＤＮＡチップやプロテインチップ等のバイオチップ製作および使用の過程では、チップ自体の滅菌状態を保つことが非常に重要となってくるが、雑菌混入による解析不可能となる事態が多発しているという欠点があるとともに、ＤＮＡスポッティング工程において安定したスポッティングが要求されるが、流れ出しを抑えるために、非常に高精度なコントロールが必要となっている。
【０００４】
本発明は以上のような従来の欠点に鑑み、ＤＮＡチップやプロテインチップ等のバイオチップ上に殺菌剤を塗布し、殺菌作用によりチップ上の殺菌を安全に効率よく行うことができるとともに、殺菌剤を塗布することによりスポッティングや固定時に不必要なＤＮＡやタンパク質分子等の流れ出しを効率よく防止し安定した作業をすることができるバイオチップ製作方法およびバイオチップを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はＤＮＡ配列やタンパク質分子等を配置する基板に殺菌作用を有する殺菌材を付与する付与工程と、この付与工程で処理された基板にＤＮＡ配列やタンパク質分子等を配置させ固定化する固定化工程とでバイオチップ製作方法を構成している。
【０００７】
また、本発明は殺菌作用を有する殺菌材が付与された基板と、この基板にＤＮＡ配列やタンパク質分子等を配置させ固定化された固定化面とでバイオチップを構成している。
【０００８】
【発明の実施の形態】
以下、図面に示す実施の形態により、本発明を詳細に説明する。
【０００９】
図１ないし図３に示す本発明の第１の実施の形態において、１は図２に示すように、ガラス基板２のＤＮＡ、転写物であるｍＲＮＡ、タンパク質分子、抗原抗体等、本実施の形態ではＤＮＡの配置面３に殺菌作用を有する殺菌剤４、本実施の形態では酸化チタン等の光触媒を塗布する付与工程で、この付与工程では、前記基板２の全面に薄膜状の塗布面５を形成する。
なお、前記基板は本実施の形態ではガラスのものを使用しているが、シリコン、プラスチック、セラミック、ナイロン膜、ポリマー膜、アモルファスカーボン等を使用してもよい。
また、本実施の形態では、前記基板２の表面に加えて、裏面と側面とを含む全面に塗布面５を形成してもよい。
【００１０】
図３に示すように、６は前記付与工程１で処理された基板２上にＤＮＡを従来と同様な配置方法によって配置し、従来と同様な固定化方法によって固定化する固定化工程で、この固定化工程６では、基板上に配置する方法として、従来と同様の、例えば水面上に浮かべた分子等を膜面に写し取る方法、吸着法、あるいはスポッター装置を使用してのスポッティング法、キャピラー部材を使用する方法等を利用し、固定化方法としては、従来と同様の、例えばオリゴヌクレオチド溶液を乾燥させて固定化する方法等を利用する。
【００１１】
上記のようなバイオチップ製作方法で製作されたバイオチップ、本実施の形態ではＤＮＡチップ７は、反応光の照射等によって、塗布された光触媒の殺菌作用によりチップ上のバクテリアやカビ等の殺菌や滅菌を効率よく行うことができるので、バイオチップ製作および使用の過程でも、確実にチップ自体の滅菌状態を保つことができるとともに、使用時の安全性の向上を図ることができる。
したがって、ＤＮＡチップの品質の向上を図ることができる。
【００１２】
また、殺菌剤を塗布することにより塗布面に比べて塗布しない部分の表面張力値が上がるため、ＤＮＡ配列等の固定時に不必要なＤＮＡ配列等の流れ出しを効率よく防止し安定した作業をすることができる。
さらに、バイオチップとしての前記ＤＮＡチップ７を透過性のパッケージや開口部を有するパッケージ等でパッケージングしても、同様の効果作用を得ることができる。
【００１３】
【発明の異なる実施の形態】
次に、図４ないし図１３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図４および図５に示す本発明の第２の実施の形態において、前記本発明の第１の実施の形態と主に異なる点は、ガラス基板２の配置面３の、ＤＮＡが配置される部位に光触媒４を塗布して薄膜状の塗布面５を形成する付与工程１Ａを行った点で、このようなバイオチップ製作方法にしても本発明の第１の実施の形態と同様の作用効果を得ることができる。
【００１５】
図６および図７に示す本発明の第３の実施の形態において、前記本発明の第２の実施の形態と主に異なる点は、ガラス基板２の配置面３の、ＤＮＡが配置されるそれぞれの部位に光触媒４を塗布して薄膜状の塗布面５を形成する付与工程１Ｂを行った点で、このようなバイオチップ製作方法にしても本発明の第１の実施の形態と同様の作用効果を得ることができる。
【００１６】
図８および図９に示す本発明の第４の実施の形態において、前記本発明の第１の実施の形態と主に異なる点は、付与工程１後に、塗布された殺菌剤としての光触媒４の殺菌作用を起こさせるために光触媒の反応光としての紫外線を、照射機８を用いて上面より照射する照射工程９を行った点で、このようなバイオチップ製作方法にしても本発明の第１の実施の形態と同様の作用効果を得ることができる。
なお、本実施の形態ではガラス基板２の上面より紫外線を照射する場合を説明したが、基板が透明あるいは半透明の部材であれば、裏面方向より照射してもよく、ガラス基板２の配置面３に紫外線が照射される範囲であれば照射位置を問わない。
【００１７】
図１０および図１１に示す本発明の第５の実施の形態において、前記本発明の第１の実施の形態と主に異なる点は、ガラス基板２の原材料に、殺菌作用を有する殺菌材４を混合してガラス基板２Ａを成型加工する付与工程１Ｃを行う点で、このようなバイオチップ製作方法にしても本発明の第１の実施の形態と同様の作用効果を得ることができる。
【００１８】
図１２および図１３に示す本発明の第６の実施の形態において、前記本発明の第１の実施の形態と主に異なる点は、シート状の殺菌剤４をガラス基板２の配置面に貼布する付与工程１Ｄを行う点で、このようなバイオチップ製作方法にしても本発明の第１の実施の形態と同様の作用効果を得ることができる。
【００１９】
図１４および図１５に示す本発明の第７の実施の形態において、前記本発明の第４の実施の形態と主に異なる点は、付与工程１後に、塗布された殺菌剤としての光触媒４の殺菌作用を起こさせるために光触媒の反応光としての太陽光（自然光）等、本実施の形態では自然光に近い光を出す昼白色系の蛍光灯である照射機８Ａを用いて上面より照射する照射工程９Ａを行った点で、このようなバイオチップ製作方法にしても本発明の第１の実施の形態と同様の作用効果を得ることができる。
なお、太陽光を採光や集光等をして、反応光として使用してもよい。
【００２０】
なお、各本実施の形態ではＤＮＡチップについて説明したが、本発明はこれに限らず、テスト用ＤＮＡチップ、レプリカＤＮＡチップ、遺伝子解析チップ（ラボ・オン・ア・チップ）、プロテインチップ、Ｐｅｐｔｉｄｅチップ等でもよい。
【００２１】
また、前記本発明の異なる実施の形態では主に第１の実施の形態を基にして説明したが、本発明はこれに限らず、各実施の形態に使用された構成を組み合わせて使用しても同様な作用効果が得られる。
【００２２】
【発明の効果】
以上の説明から明らかなように、本発明にあっては次に列挙する効果が得られる。
【００２３】
（１）基板のＤＮＡやタンパク質分子等の配置面に殺菌作用を有する殺菌材を塗布する塗布工程と、この塗布工程で処理された基板上にＤＮＡやタンパク質分子等を配置させ固定化する固定化工程とからなるので、基板上の殺菌を効率よく行うことができる。
したがって、バイオチップ製作時および使用時の過程でも、確実にチップ自体の滅菌状態を保つことができる。
【００２４】
（２）前記（１）によって、基板上の殺菌を効率よく行うことができるので、使用時の安全性の向上を図ることができる。
したがって、ＤＮＡチップの品質の向上を図ることができる。
【００２５】
（３）前記（１）によって、殺菌剤を塗布することにより、塗布面に比べて塗布しない部分の表面張力値が上がるため、ＤＮＡ等の固定時に不必要なＤＮＡ等の流れ出しを効率よく防止し、利用価値の高い状態で製作および使用することができる。
したがって、安定した作業を最適状態ですることができる。
【００２６】
（４）請求項２〜５も前記（１）〜（３）と同様な作用効果が得られる。
【図面の簡単な説明】
【図１】本発明の第１の実施の形態の工程図。
【図２】本発明の第１の実施の形態の付与工程の説明図。
【図３】本発明の第１の実施の形態の固定化工程の説明図。
【図４】本発明の第２の実施の形態の工程図。
【図５】本発明の第２の実施の形態の付与工程の説明図。
【図６】本発明の第３の実施の形態の工程図。
【図７】本発明の第３の実施の形態の付与工程の説明図。
【図８】本発明の第４の実施の形態の工程図。
【図９】本発明の第４の実施の形態の照射工程の説明図。
【図１０】本発明の第５の実施の形態の工程図。
【図１１】本発明の第５の実施の形態の付与工程の説明図。
【図１２】本発明の第６の実施の形態の工程図。
【図１３】本発明の第６の実施の形態の付与工程の説明図。
【図１４】本発明の第７の実施の形態の工程図。
【図１５】本発明の第７の実施の形態の照射工程の説明図。
【符号の説明】
１、１Ａ〜１Ｄ：塗布工程、　　　　　２、２Ａ：ガラス基板、
３：配置面、　　　　　　　　　　　　４：殺菌剤、
５：塗布面、　　　　　　　　　　　　６：固定化工程、
７：ＤＮＡチップ、　　　　　　　　　８、８Ａ：照射機、
９、９Ａ：照射工程。
【図１】
2004028733.tif 000003
【図２】
2004028733.tif 000004
【図３】
2004028733.tif 000005
【図４】
2004028733.tif 000006
【図５】
2004028733.tif 000007
【図６】
2004028733.tif 000008
【図７】
2004028733.tif 000009
【図８】
2004028733.tif 000010
【図９】
2004028733.tif 000011
【図１０】
2004028733.tif 000012
【図１１】
2004028733.tif 000013
【図１２】
2004028733.tif 000014
【図１３】
2004028733.tif 000015
【図１４】
2004028733.tif 000016
【図１５】
2004028733.tif 000017